(57)【要約】【目的】ある程度の広さの地域内に互いに近接して存在する複数の各使用者設備が蓄電池を共用できる、蓄電池地域共用システムを提供する。【構成】各使用者毎に設置された電力設備（使用者設備）の内部に設置されたインバータと、前記各使用者設備の内部に設置された太陽電池モジュールと、前記各使用者設備の内部又は外部に設置され、ＤＣ／ＤＣコンバータを介して前記インバーター等と接続された一つ又は複数の共用蓄電池と、前記各使用者設備毎に又は前記各使用者設備の外部に配置された共用蓄電池を互いに又は前記ＤＣ／ＤＣコンバータと接続するＤＣバスと、前記共用蓄電池の前記各使用者設備内のインバータ又は太陽電池モジュールとの間での充電又は放電などを制御する制御装置とを備えたシステムである。【選択図】    図１
2018137863.tif 000002
【特許請求の範囲】
【請求項１】
各使用者毎に設置されている電力設備（以下「使用者設備」という）の内部にそれぞれ設置されたインバータであって、電力系統及び前記各使用者設備内の負荷に接続されたインバータと、
前記各使用者設備の内部にそれぞれ設置された太陽電池モジュールであって、前記インバータと第１のＤＣ／ＤＣコンバータを介して接続された太陽電池モジュールと、
前記各使用者設備の内部にそれぞれ設置された一つ又は複数の戸別蓄電池であって、前記インバータ又は前記太陽電池モジュールと第２のＤＣ／ＤＣコンバータを介して接続された戸別蓄電池と、
前記各使用者設備の内部又は外部にそれぞれ設置された一つ又は複数の共用蓄電池であって、前記インバータ又は前記戸別蓄電池と前記各使用者設備毎に設置された第３のＤＣ／ＤＣコンバータを介して接続された共用蓄電池と、
前記各使用者設備の外部に配置されたＤＣバスであって、前記複数の共用蓄電池を互いに接続するＤＣバスと、
前記各使用者設備の内部に配置された負荷、インバータ、第１及び第２のＤＣ／ＤＣコンバータ、及び太陽電池モジュールの各動作、並びに前記各使用者設備の内部又は外部に配置された第３のＤＣ／ＤＣコンバータ及び共用蓄電池の各動作の検出データに基づいて、前記共用蓄電池、前記各使用者設備内のインバータ、太陽電池モジュール又は戸別蓄電池との間での充電又は放電を制御する中央制御装置と、
を備えた蓄電池地域共用システム。
【請求項２】
各使用者毎に設置されている電力設備（以下「使用者設備」という）の内部にそれぞれ設置されたインバータであって、電力系統及び前記各使用者設備内の負荷に接続されたインバータと、
前記各使用者設備の内部にそれぞれ設置された太陽電池モジュールであって、前記インバータと第１のＤＣ／ＤＣコンバータを介して接続された太陽電池モジュールと、
前記各使用者設備の内部にそれぞれ設置された一つ又は複数の戸別蓄電池であって、前記インバータ又は前記太陽電池モジュールと第２のＤＣ／ＤＣコンバータを介して接続された戸別蓄電池と、
前記使用者設備の外部に設置された一つ又は複数の共用蓄電池であって、前記インバータ又は前記戸別蓄電池と前記各使用者設備毎に設置された第３のＤＣ／ＤＣコンバータ及び後記ＤＣバスを介して接続された共用蓄電池と、
前記使用者設備の外部に配置されたＤＣバスであって、前記共用蓄電池を、前記各第３のＤＣ／ＤＣコンバータと接続するＤＣバスと、
前記各使用者設備の内部に配置された負荷、インバータ、第１及び第２のＤＣ／ＤＣコンバータ、及び太陽電池モジュールの各動作、前記各使用者設備の内部又は外部に配置された第３のＤＣ／ＤＣコンバータの動作、並びに前記各使用者設備の外部に配置された共用蓄電池の動作の検出データに基づいて、前記共用蓄電池、前記各使用者設備内のインバータ、太陽電池モジュール又は戸別蓄電池との間での充電又は放電を制御する中央制御装置と、
を備えた蓄電池地域共用システム。
【請求項３】
前記中央制御装置は、前記各使用者設備毎に配置された第３のＤＣ／ＤＣコンバータの各動作の検出データを取得し、これらの検出データに基づいて、前記各使用者設備からの電力が前記共用蓄電池にどれだけ充電されたか、及び前記共用蓄電池から放電された電力が前記各使用者設備のためにどれだけ使用されたかを各使用者設備別に求め記録するものである、請求項１又は２に記載の蓄電池地域共用システム。
【請求項４】
前記中央制御装置は、前記各使用者設備からの電力がそれぞれ前記共用蓄電池にどれだけ充電されたかを示す各データに基づいて、前記各使用者設備からそれぞれ前記共用蓄電池に充電された各電力量の範囲内で、前記共用蓄電池から前記各使用者設備への放電を可能とするように、前記各第３のＤＣ／ＤＣコンバータを制御するものである、請求項１又は２に記載の蓄電池地域共用システム。
【請求項５】
前記中央制御装置は、前記共用蓄電池の蓄電残量の検出データを取得し、この蓄電残量データに基づいて、前記共用蓄電池が充電可能な範囲内で前記各使用者設備からの充電を可能とするように、前記各第３のＤＣ／ＤＣコンバータを制御するものである、請求項１又は２に記載の蓄電池地域共用システム。
【発明の詳細な説明】
【技術分野】
【０００１】
本発明は、各使用者毎に備えられた系統連系型の電力使用設備が一定の地域で互いに連携できるようにした蓄電池地域共用システムに関する。
【背景技術】
【０００２】
従来より、各使用者毎に、太陽電池モジュールからの発電電力を負荷に供給すると共にその余剰電力を電力系統に売電できる太陽光発電システムと、電気料金の安い夜間電力を蓄電し電力の利用度の大きい昼間に放電する蓄電システムとを組み合わせた系統連系型の電力使用設備が知られている（特許文献１参照）。このような系統連系型の電力使用設備においては、例えば、図４に示すように、蓄電池（５０６）が双方向ＤＣ／ＤＣコンバータ（５０５）を介して系統連系用双方向ＡＣ／ＤＣコンバータ（インバータ。５０２）に接続され、太陽電池モジュール（７）も系統連系用双方向ＡＣ／ＤＣコンバータ（インバータ。５０２）に接続されている。そして、このような系統連系型の電力使用設備においては、太陽電池モジュール（７）が発電した電力を双方向ＤＣ／ＤＣコンバータ（５０５）を介して蓄電池（５０６）に充電することが可能であるし、電力系統（１）からの電力を系統連系用双方向ＡＣ／ＤＣコンバータ（インバータ。５０２）により直流に変換して蓄電池（５０６）に充電することも可能であるし、さらに、蓄電池（５０６）又は太陽電池モジュール（７）からの直流電力を系統連系用双方向ＡＣ／ＤＣコンバータ（インバータ。５０２）により交流に変換して負荷（３）に出力し又は電力系統（１）に出力（逆潮流・売電）することも可能である。
【先行技術文献】
【特許文献】
【０００３】
【特許文献１】特開２００２−３６９４０６号公報
【発明の概要】
【発明が解決しようとする課題】
【０００４】
ところで、近年は、蓄電池付きのパワーコンディショナーが設置されることが増えるに従い、各家庭において、電力代の節約のため及び非常時用電源のためなどの目的で蓄電池を活用することが増えている。そして、一般的に、蓄電池の活用は、使用者の電力使用量と蓄電池の容量に依存している。より大きな容量の蓄電池を設置できれば、それによる電気代の節約効果及び非常時電源としての効用をより大きくすることができる。
【０００５】
しかしながら、現状では、蓄電池はまだまだ高価であるため、電気代の節約及び非常時電源としての利用のために十分な容量を有する蓄電池を各戸（各使用者）が購入して設置することは費用面から難しい。このような現状からは、高価な蓄電池の容量を有効に活用する工夫が望まれている。他方、使用される電力量は各戸毎に様々であり、また各戸毎に見ても時間帯により電力使用量は大きく変動する。このような観点からは、電力を多く使う使用者・時間帯と余り使用しない使用者・時間帯が多様に並存する場合に、複数の使用者が蓄電池を共同して活用することができれば、高価な蓄電池の容量を無駄にすることなく有効に活用できる機会を増やせることになる。
【０００６】
本発明はこのような従来技術の問題点に着目して為されたものであって、ある程度の広さを有する地域内において互いに近接して存在する複数の各使用者設備（系統連系型の電力使用設備）が、それぞれ共用蓄電池に電力を蓄電し又は共用蓄電池からの電力を使用するなど、高価な蓄電池を複数の使用者が共用（共同使用）できるようにした蓄電池地域共用システムを提供することを目的とする。また特に、本発明は、各使用者設備別にそれぞれが共用蓄電池に充電した電力量を記録・管理することができる蓄電池地域共用システムを提供することを目的とする。また本発明は、各使用者設備が自らが共用蓄電池に充電した電力量の範囲内でのみ共用蓄電池からの電力の使用を可能とすることができる蓄電池地域共用システムを提供することを目的とする。さらに本発明は、共用蓄電池が充電可能な範囲内で、各使用者設備が個別に共用蓄電池への充電を可能とすることができる蓄電池地域共用システムを提供することを目的とする。
【課題を解決するための手段】
【０００７】
以上のような課題を解決するための本発明による蓄電池地域共用システムは、各使用者毎に設置されている電力設備（以下「使用者設備」という）の内部にそれぞれ設置されたインバータであって、電力系統及び前記各使用者設備内の負荷に接続されたインバータと、前記各使用者設備の内部にそれぞれ設置された太陽電池モジュールであって、前記インバータと第１のＤＣ／ＤＣコンバータを介して接続された太陽電池モジュールと、前記各使用者設備の内部にそれぞれ設置された一つ又は複数の戸別蓄電池であって、前記インバータ又は前記太陽電池モジュールと第２のＤＣ／ＤＣコンバータを介して接続された戸別蓄電池と、前記各使用者設備の内部又は外部にそれぞれ設置された一つ又は複数の共用蓄電池であって、前記インバータ又は前記戸別蓄電池と前記各使用者設備毎に設置された第３のＤＣ／ＤＣコンバータを介して接続された共用蓄電池と、前記各使用者設備の外部に配置されたＤＣバスであって、前記複数の共用蓄電池を互いに接続するＤＣバスと、前記各使用者設備の内部に配置された負荷、インバータ、第１及び第２のＤＣ／ＤＣコンバータ、及び太陽電池モジュールの各動作、並びに前記各使用者設備の内部又は外部に配置された第３のＤＣ／ＤＣコンバータ及び共用蓄電池の各動作の検出データに基づいて、前記共用蓄電池の前記各使用者設備内のインバータ、太陽電池モジュール又は戸別蓄電池との間での充電又は放電を制御する中央制御装置と、を備えたものである。
【０００８】
また、本発明による蓄電池地域共用システムは、各使用者毎に設置されている電力設備（以下「使用者設備」という）の内部にそれぞれ設置されたインバータであって、電力系統及び前記各使用者設備内の負荷に接続されたインバータと、前記各使用者設備の内部にそれぞれ設置された太陽電池モジュールであって、前記インバータと第１のＤＣ／ＤＣコンバータを介して接続された太陽電池モジュールと、前記各使用者設備の内部にそれぞれ設置された一つ又は複数の戸別蓄電池であって、前記インバータ又は前記太陽電池モジュールと第２のＤＣ／ＤＣコンバータを介して接続された戸別蓄電池と、前記使用者設備の外部に設置された一つ又は複数の共用蓄電池であって、前記インバータ又は前記戸別蓄電池と前記各使用者設備毎に設置された第３のＤＣ／ＤＣコンバータ及び後記ＤＣバスを介して接続された共用蓄電池と、前記使用者設備の外部に配置されたＤＣバスであって、前記共用蓄電池を、前記各第３のＤＣ／ＤＣコンバータと接続するＤＣバスと、前記各使用者設備の内部に配置された負荷、インバータ、第１及び第２のＤＣ／ＤＣコンバータ、及び太陽電池モジュールの各動作、前記各使用者設備の内部又は外部に配置された第３のＤＣ／ＤＣコンバータの動作、並びに前記各使用者設備の外部に配置された共用蓄電池の動作の検出データに基づいて、前記共用蓄電池の前記各使用者設備内のインバータ、太陽電池モジュール又は戸別蓄電池との間での充電又は放電を制御する中央制御装置と、を備えたものである。
【０００９】
また、本発明による蓄電池地域共用システムにおいては、前記中央制御装置は、前記各使用者設備毎に配置された第３のＤＣ／ＤＣコンバータの各動作の検出データを取得し、これらの検出データに基づいて、前記各使用者設備からの電力が前記共用蓄電池にどれだけ充電されたか、及び前記共用蓄電池から放電された電力が前記各使用者設備のためにどれだけ使用されたかを各使用者設備別に求め記録するものであってもよい。
【００１０】
また、本発明による蓄電池地域共用システムにおいては、前記中央制御装置は、前記各使用者設備からの電力がそれぞれ前記共用蓄電池にどれだけ充電されたかを示す各データに基づいて、前記各使用者設備からそれぞれ前記共用蓄電池に充電された電力量の範囲内で、前記共用蓄電池から前記各使用者設備への放電を可能とするように、前記各第３のＤＣ／ＤＣコンバータを制御するものであってもよい。
【００１１】
さらに、本発明による蓄電池地域共用システムにおいては、前記中央制御装置は、前記共用蓄電池の蓄電残量の検出データを取得し、この蓄電残量データに基づいて、前記共用蓄電池が充電可能な範囲内で前記各使用者設備からの充電を可能とするように、前記各第３のＤＣ／ＤＣコンバータを制御するものであってもよい。
【発明の効果】
【００１２】
本発明によれば、各使用者設備の内部又は外部に設置された一つ又は複数の共用蓄電池を、各使用者設備の外部に配置されたＤＣバス及び前記各使用者設備の内部又は外部に配置された第３のＤＣ／ＤＣコンバータを介して、前記各使用者設備内のインバータ（電力系統及び前記各使用者設備内の負荷に接続されているインバータで、系統連系用双方向ＡＣ／ＤＣコンバータを兼ねるもの）と接続するようにしたので、ある程度の広さを有する地域に属する複数の使用者（需要家）の各使用者設備が、それぞれ、共用蓄電池に電力を蓄電でき又は共用蓄電池からの電力を使用するなど、高価な蓄電池を複数の使用者が共用（共同使用）できるようになる。
【００１３】
また、本発明において、前記中央制御装置が、前記各使用者設備毎に配置された第３のＤＣ／ＤＣコンバータの各動作の検出データを取得し、これらの検出データに基づいて、前記各使用者設備からの電力が前記共用蓄電池にどれだけ充電されたか、及び前記共用蓄電池から放電された電力が前記各使用者設備のためにどれだけ使用されたかを各使用者設備別に求め記録するようにしたときは、各使用者設備毎の独立した電力管理と前記共用蓄電池の共同利用とを適正に両立させられるようになる。
【００１４】
また、本発明においては、前記中央制御装置が、前記各使用者設備からの電力が前記共用蓄電池にどれだけ充電されたかを示す各データに基づいて、前記各使用者設備から前記共用蓄電池にそれぞれ充電された電力量の範囲内で、前記共用蓄電池から前記各使用者設備への放電を可能とするように、前記各第３のＤＣ／ＤＣコンバータを制御するようにしたときは、前記共用蓄電池の共同使用を、前記各使用者設備の間で公平に（すなわち、各使用者設備は、各使用者設備がそれぞれ共用蓄電池に充電した電力量の範囲内でのみ共用蓄電池からの放電電力を使用できるという形で公平に）行うことができるようになる。
【００１５】
さらに、本発明において、前記中央制御装置が、前記共用蓄電池の蓄電残量の検出データを取得し、この蓄電残量データに基づいて、前記共用蓄電池が充電可能な範囲内で前記各使用者設備からの充電を可能とするように、前記各第３のＤＣ／ＤＣコンバータを制御するようにしたときは、前記共用蓄電池の共同使用において、前記共用蓄電池が充電可能な電力量の範囲内で、前記各使用者設備からの電力を前記共用蓄電池に充電することが可能となる。
【図面の簡単な説明】
【００１６】
【図１】本発明に係る蓄電池地域共用システムの一例を概念的に示す概略図である。
【図２】本発明の実施形態１による蓄電池地域共用システムを示す概略ブロック図である。
【図３】本発明の実施形態２による蓄電池地域共用システムを示す概略ブロック図である。
【図４】従来の太陽光発電システムと蓄電システムとを組み合わせた系統連系型の電力使用設備（使用者設備）を示す概略ブロック図である。
【発明を実施するための形態】
【００１７】
図１は本発明に係る蓄電池地域共用システムの一例を示す概略概念図である。図１に示すように、本発明は、例えば、系統Ｌｉｎｅにそれぞれ接続された負荷等を有する各戸（需要家）にそれぞれ共用蓄電池（共用補助蓄電池）を配置し、又は系統Ｌｉｎｅにそれぞれ接続された負荷等を有する各戸（需要家）とは別個に共用蓄電池（共用補助蓄電池）を配置し、前記各共用蓄電池は互いにＤＣバスで接続し、前記共用蓄電池を各戸（例えば各戸が独自に保有する戸別蓄電池）と特定負荷Ｌｉｎｅで結ぶようにし、これにより、高価な蓄電池を複数の使用者が共用（共同使用）できるようにしたものである。
【００１８】
〔第１の実施形態〕
以下、本発明の実施形態１を図２を用いて説明する。図２は、本発明の実施形態１による蓄電池地域共用システムを示す概略ブロック図である。図２において、１は商用交流電源２からの電力が供給される電力系統、３は電力系統１からの電力を受電可能な各使用者（需要家）側の電力設備（使用者設備）である。
【００１９】
各使用者設備３には、図２の符号３の枠内に示すような機器が備えられている。すなわち、図２の符合３の枠内において、４は前記各使用者設備３内に備えられた家電製品等の負荷であって電力系統１と交流配線５及び配電盤（図示省略）を介して接続された負荷、６は各使用者設備３内に備えられた太陽電池モジュール、７は前記太陽電池モジュール６とＤＣ／ＤＣコンバータ８及び直流配線９を介して接続されたインバータである。前記インバータ７は負荷４及び電力系統１に接続されている。また前記インバーター７は、通常は、太陽電池モジュール６からの直流電力を交流に変換・調整して負荷に供給するなどの役割を有するパワーコンディショナー内に配置されている。
【００２０】
また、図２において、１０は各使用者設備３の内部でそれぞれ使用される戸別蓄電池であってＤＣ／ＤＣコンバータ１１及び直流配線９を介して前記インバータ７に接続された戸別蓄電池である。また、１２は、前記各使用者設備３内の各種機器、すなわち前記太陽電池モジュール６及びＤＣ／ＤＣコンバータ８、インバータ７、戸別蓄電池１０及びＤＣ／ＤＣコンバータ１１、並びに負荷４などを制御する戸別制御装置である。前記戸別制御装置１２は、各使用者設備３内の太陽電池モジュール６の各時刻別の発電電力量、ＤＣ／ＤＣコンバータ８及び１１の各時刻別の動作を示す電圧・電流データ、インバータ７の各時刻別の動作を示す電圧・電流データ、各戸別蓄電池１０の各時刻別の蓄電量及び充放電量、並びに負荷４の各時刻別の電力使用量などを示す電圧・電流データなどの各検出データを取得し、それらに基づき前記各機器を制御する。
【００２１】
また図２において、１３は直流配線１５及びＤＣ／ＤＣコンバータ１４を介して前記各使用者設備３内の太陽電池モジュール６用のＤＣ／ＤＣコンバータ８及び戸別蓄電池１０用のＤＣ／ＤＣコンバータ１１とインバータ７との間（直流配線９）に接続された共用蓄電池、１６は前記各使用者設備３（全ての使用者設備３でなくてもよい）毎に配置される前記ＤＣ／ＤＣコンバータ１４に接続された共用蓄電池１３を互いに接続するＤＣバスである。なお、前記ＤＣ／ＤＣコンバータ１４及び共用蓄電池１３は、例えば、前記インバータ７などを含むパワーコンディショナー（図示省略）の筐体と隣接する場所などに、前記筐体とは別個の筐体１８に収容されて設置されている。また図２において、１７は前記ＤＣ／ＤＣコンバータ１４及び共用蓄電池１３による充放電等の動作を制御する中央制御装置である。
【００２２】
次に、本実施形態１の動作を説明する。本実施形態１では、太陽電池モジュール６が発電した電力は、ＤＣ／ＤＣコンバータ８により電圧変換された後にインバータ７で交流に変換された後、その多くが分電盤（図示省略）を介して負荷４で使用されるが、他の余剰電力は電力系統１に逆潮流（売電）される。また、太陽電池モジュール６が発電した電力の一部は、ＤＣ／ＤＣコンバータ８により電圧変換された後、ＤＣ／ＤＣコンバータ１１によりさらに電圧変換されて戸別蓄電池１０に充電されることも可能である。
【００２３】
また、前記戸別蓄電池１０には、太陽電池モジュール６が発電した電力の一部がＤＣ／ＤＣコンバータ１１により電圧変換されて充電されると共に、電力系統１からの安価な夜間交流電力がインバータ７（双方向ＡＣ／ＤＣコンバータを兼ねる）により直流変換された後にＤＣ／ＤＣコンバータ１１により電圧変換されて充電される。
【００２４】
以上の各動作は、前記戸別制御装置１２の制御の下で行なわれる。すなわち、前記の分電盤（図示省略）、負荷４、インバータ７、各ＤＣ／ＤＣコンバータ８，１１、太陽電池モジュール６、及び戸別蓄電池１０の各動作を検出するための各電圧センサ及び電流センサ（図示省略）などの各種センサからの検出データは、随時、前記戸別制御装置１２に送られる。前記戸別制御装置１２は、これらの各種センサから送られてきた検出データに基づいて、例えば、晴天の昼間帯においては太陽電池モジュール６からの電力を負荷４に使用させると共にその余剰電力は電力系統１に逆潮流（売電）させるか戸別蓄電池１０に充電させ、夜間帯においては戸別蓄電池１０からの電力及び／又は電力系統１からの安価な夜間電力を負荷４に使用させる（さらに戸別蓄電池１０の蓄電残量が少ない場合は前記夜間電力を戸別蓄電池１０に充電させる）など、最適な電力使用及び蓄電を実現するように、前記の各機器を制御する。
【００２５】
また、本実施形態１では、前述のように、前記各使用者設備３の外側に共用蓄電池１３が設置され、この各共用蓄電池１３は、太陽電池モジュール６用のＤＣ／ＤＣコンバータ８及び戸別蓄電池１０用のＤＣ／ＤＣコンバータ１１とインバータ７との間の直流配線９に、それぞれ、前記ＤＣ／ＤＣコンバータ１４及び直流配線１５を介して接続されている。また、前記各使用者設備３毎にその外側に設置された各共用蓄電池１３は、ＤＣバス１６により互いに接続されている。
【００２６】
本実施形態１では、前記共用蓄電池１３の充放電等の動作は、遠隔の管理センターなどに設置された中央制御装置１７により常時、管理、制御されている。すなわち、本実施形態１では、前記各使用者設備３内の各機器の各時刻別の電圧、電流などの各検出データは、随時、前記戸別制御装置１２を介して中央制御装置１７に送られる。また、前記ＤＣ／ＤＣコンバータ１４の動作を示す各時刻別の電圧・電圧データ及び前記共用蓄電池１３の各時刻別の蓄電残量データなどを検出する各種センサからの検出データも、常時、中央制御装置１７に送られる。
【００２７】
前記中央制御装置１７は、前記各種センサからの検出データに基づいて、前記各使用者設備３内の太陽電池モジュール６により発電された電力の一部をＤＣ／ＤＣコンバータ１４を制御して共用蓄電池１３（前記ＤＣバス１６により互いに接続された複数の共用蓄電池１３）に充電させる。また、前記中央制御装置１７は、前記各種センサからの検出データに基づいて、前記各使用者設備３内の個別蓄電池１０に蓄電された電力の一部を、前記ＤＣ／ＤＣコンバータ１１を制御して放電させ、さらに前記ＤＣ／ＤＣコンバータ１４を制御して前記放電された電力を共用蓄電池１３に充電させる。
【００２８】
また、前記中央制御装置１７は、前記各種センサからの検出データに基づいて、前記共用蓄電池１３に蓄電された電力を前記ＤＣ／ＤＣコンバータ１４を制御して放電させ、前記インバータ７を制御して前記放電された電力を交流変換して負荷４に供給して使用させるか又は前記ＤＣ／ＤＣコンバータ１１を制御して前記放電された電力を戸別蓄電池１０に充電させる。
【００２９】
本実施形態において、前記中央制御装置１７は、前記各使用者設備３毎に設置された各ＤＣ／ＤＣコンバータ１４の動作を示す各時刻別の電圧・電流等の検出データを得ることにより、前記各使用者設備３（その内部の太陽電池モジュール６及び戸別蓄電池１０など）からどれだけの電力が前記共用蓄電池１３に充電されたか、及び前記共用蓄電池１３からどれだけの電力が各使用者設備３（その内部の負荷４及び戸別蓄電池１０など）に放電、供給されたかを、把握することができる。
【００３０】
本実施形態１においては、前記中央制御装置１７は、前述のようにして把握した前記各使用者設備３からどれだけの電力が前記共用蓄電池１３に充電されたか、及び前記共用蓄電池１３からどれだけの電力が各使用者設備３に放電、供給されたかを示すデータに基づいて、前記共用蓄電池１３から各使用者設備３に放電、供給される電力量を、それまでに前記各使用者設備３からそれぞれ前記共用蓄電池１３に充電された各電力量の範囲内に抑えるように、前記ＤＣ／ＤＣコンバータ１４を制御するようにしている。
【００３１】
また、本実施形態１においては、前記中央制御装置１７は、前記共用蓄電池１３の蓄電残量の検出データを、随時取得する。そして、前記中央制御装置１７は、この取得した蓄電残量データに基づいて、前記共用蓄電池１３が充電可能な範囲内で各使用者設備３からの充電を可能とするように、前記各ＤＣ／ＤＣコンバータ１４を制御するようにしている。
【００３２】
以上に説明したように、本実施形態１においては、前記各使用者設備３の外部に設置された各共用蓄電池１３（前記ＤＣバス１６により互いに接続されたもの）を、前記各使用者設備３の外部に配置されたＤＣ／ＤＣコンバータ１４などを介して、前記各使用者設備内のインバータ７、戸別蓄電池１０及び太陽電池モジュール６と接続するようにしたので、ある程度の広さを有する地域に属する複数の各使用者が、それぞれ共用蓄電池に電力を充電し又は共用蓄電池からの電力を使用するなど、共用蓄電池を共用できるようになる。
【００３３】
また、本実施形態１においては、前記中央制御装置１７が、前記各使用者設備３毎に配置されたＤＣ／ＤＣコンバータ１４の各動作の検出データを取得し、これらの検出データに基づいて、前記各使用者設備３からの電力が前記共用蓄電池１３にどれだけ充電されたか、及び前記共用蓄電池１３から放電された電力が前記各使用者設備３にどれだけ使用されたかを求め記録するようにしたので、各使用者設備３毎の独立した電力管理と前記共用蓄電池の共同利用とを容易に両立させられるようになる。
【００３４】
また、本実施形態１においては、前記中央制御装置１７が、前記各使用者設備３からの電力が前記共用蓄電池１３にどれだけ充電されたかを示す各データに基づいて、前記各使用者設備３がそれぞれ前記共用蓄電池１３に充電した各電力量の範囲内で、前記共用蓄電池１３から前記各使用者設備３への放電を可能とするように、前記各ＤＣ／ＤＣコンバータ１４を制御するようにしたので、前記共用蓄電池１３の共同使用を、前記各使用者設備３の間で公平に（すなわち、各使用者設備３は、各使用者設備３がそれぞれ共用蓄電池１３に充電した電力量の範囲内でのみ共用蓄電池１３からの放電電力を使用できるという形で公平に）行うことができるようになる。
【００３５】
さらに、本実施形態１においては、前記中央制御装置１７が、前記共用蓄電池１３の蓄電残量の検出データを取得し、この蓄電残量データに基づいて、前記共用蓄電池１３が充電可能な範囲内で各使用者設備３からの充電を可能とするように、前記各ＤＣ／ＤＣコンバータ１４を制御するようにしたので、前記共用蓄電池１３の共同使用において、前記共用蓄電池１３が充電可能な電力量の範囲内で、前記各使用者設備３からの電力を前記共用蓄電池１３に充電することが可能となる。
【００３６】
〔第２の実施形態〕
次に本発明の実施形態２による蓄電池地域共用システムを図３を参照して説明する。図３において図２と共通する部分には同一の符号を付している。また本実施形態２は前記実施形態１と基本的構成は同一であるので、以下では異なる部分を中心に説明する。
【００３７】
本実施形態２では、前記実施形態１のように前記共用蓄電池１３（図２参照）が各使用者設備３に対応して設置される（例えば各使用者設備３が配置されているのと同じ敷地内に設置される）のではなく、一つ又は複数の共用蓄電池２１が、複数の使用者設備３に対し纏めて対応できるように、複数の各使用者設備３と対応付けて設置されている（例えば各使用者設備３が配置されている敷地とは別の敷地に設置されている）。前記共用蓄電池２１は、前記各使用者設備３内のインバータ７、太陽電池モジュール６用ＤＣ／ＤＣコンバータ８及び戸別蓄電池１０用ＤＣ／ＤＣコンバータ１１と、ＤＣ／ＤＣコンバータ２２及び直流配線１５を介して、接続されている。前記中央制御装置１７の動作は前記実施形態１におけるとほぼ同様である。
【００３８】
このように、本実施形態２では、一つ又は複数の共用蓄電池２１が複数の使用者設備３に纏めて対応できるように複数の各使用者設備３と対応付けて設置されている点で、前記共用蓄電池１３が各使用者設備３毎にそれぞれと対応付けて設置されている前記実施形態１とは異なっているが、それ以外の基本的構成は前記実施形態１と同様である。よって、本実施形態２によっても、前記実施形態１と同様の作用効果を得ることができる。
【００３９】
以上、本発明の各実施形態について説明したが、本発明は前記実施形態１，２として述べたものに限定されるものではなく、様々な修正及び変更が可能である。例えば、前記実施形態１においては、前記使用者設備３毎に設置されるＤＣ／ＤＣコンバータ１４及び共用蓄電池１３を、前記使用者設備３の内部ではなく外部に設置された筐体１８内に配置するようにしたが、本発明では、前記ＤＣ／ＤＣコンバータ１４及び共用蓄電池１３を、それぞれ前記使用者設備３の内部に配置するようにしてもよい。
【符号の説明】
【００４０】
１    電力系統
２    商用交流電源
３    使用者設備
４    負荷
５    交流配線
６    太陽電池モジュール
７    インバータ
８，１１，１４，２２     ＤＣ／ＤＣコンバータ
９，１５     直流配線
１０  戸別蓄電池
１２  戸別制御装置
１３，２１     共用蓄電池
１６    ＤＣバス
１７    中央制御装置
１８    筐体
【図１】
2018137863.tif 000003
【図２】
2018137863.tif 000004
【図３】
2018137863.tif 000005
【図４】
2018137863.tif 000006